(57)【要約】【課題】ハンマー等の手工具や、ディスクグラインダ等の電動工具による電子機器装置の扉の錠前部への破壊攻撃に対して、容易に破壊されない錠前部防犯構造を安価で取り付けが簡易な方法で提供する。【解決手段】装置本体と、錠前にて開閉する扉と、前記扉をロックするロック機構からなる電子機器装置の錠前周辺構造において、扉表面の前記錠前周囲に突起部を設け、前記錠前部に鍵による開閉操作以外の外力が印加されたとき前記突起部がこれを妨害する。【選択図】  図１
2004293152.tif 000002
【特許請求の範囲】
【請求項１】
装置本体と、錠前にて開閉する扉と、前記扉をロックするロック機構からなる電子機器装置の錠前周辺構造において、扉表面の前記錠前周囲に突起部を設け、前記錠前部に鍵による開閉操作以外の外力が印加されたとき前記突起部がこれを妨害することを特徴とする電子機器装置の錠前部防犯構造。
【請求項２】
請求項１記載の錠前周辺構造において、扉表面の錠前周囲に設ける突起部の断面形状が扉表面に対してある程度の角度をもって傾斜していることを特徴とする電子機器装置の錠前部防犯構造。
【請求項３】
請求項１又は２記載の錠前周辺構造において、扉表面の錠前周囲に設ける突起部が錠前の周囲を全周に渡って取り囲むようなリング形状を有することを特徴とする電子機器装置の錠前部防犯構造。
【請求項４】
請求項１記載の錠前周辺構造において、扉表面の錠前を覆い、鍵の出し入れのための鍵穴を有する回転自在なカバーを取り付けることを特徴とする電子機器装置の錠前部防犯構造。
【請求項５】
請求項１記載の錠前周辺構造において、扉表面の錠前周囲に設ける突起部の固定と同時に、扉裏面に錠前を押さえつける金具を取り付けることを特徴とする電子機器装置の錠前部防犯構造。
【請求項６】
請求項１記載の錠前周辺構造において、錠前部を扉表面より窪ませることにより、突起部を扉表面に設けるのではなく扉裏面に設けることを特徴とする電子機器装置の錠前部防犯構造。
【発明の詳細な説明】
【０００１】
【発明の属する技術分野】
本発明は電子機器装置の防犯扉構造にかかり、特に扉の錠前周辺の強化による錠前部防犯構造に関する。
【０００２】
【従来の技術】
現金自動取引装置などの装置内部に多額の貨幣を収納している電子機器装置は、内部の貨幣を狙った盗難に会い易い。
【０００３】
従来は、バール、タガネ、ハンマー等の手工具を用いて、扉と本体との隙間部を攻撃破壊する事件が多発していた。この様な手工具による攻撃破壊に対しては、筐体及び扉の板厚を増加したり、あるいはロックシャフト及びロックプレートを多数設けたり、筐体と扉の隙間を塞ぐようなバール返し部を追加することで防犯強度を増加することができる。
【０００４】
近年では、筐体前面に露出した扉の錠前をディスクグラインダ（別名サンダーともいう）などの電動工具を用いて攻撃破壊する事件が多発するようになった。この様な、電動工具を用いた錠前攻撃に対しては、錠前のシリンダ内部に超鋼製のブロックやボールを入れたり、錠前の前方部にシリンダと分離した超鋼製のカバーを設けたり、鍵穴部を焼き入れし、硬質化等を図ったりしてきた。
【０００５】
【特許文献】
なし
【０００６】
【発明が解決しようとする課題】
しかしながら、このような耐ドリル対策を実施すれば所定の効果はあるが、錠前のコストはアップしてしまう。逆に錠前を安価なものにすれば、ディスクグラインダで攻撃されてしまう。また、これとは別に錠前部がハンマーによる攻撃で扉内部へ叩き込まれてしまうことがあるという問題もあった。
【０００７】
本発明は、この様な問題点に鑑みてなされたもので、ハンマー等の手工具や電動ドリル、ディスクグラインダ等の電動工具による攻撃に対して、容易に破壊されない錠前部防犯構造を安価な方法で提供する。
【０００８】
【課題を解決するための手段】
本発明は、上記の課題を解決するために次のような手段を採用した。
【０００９】
装置本体と、錠前にて開閉する扉と、前記扉をロックするロック機構からなる電子機器装置の錠前周辺構造において、扉表面の前記錠前周囲に突起部を設け、前記錠前部に鍵による開閉操作以外の外力が印加、例えばディスクグラインダ等の電動工具による攻撃をされたとき前記突起部がこれを妨害する。また、前記突起部の固定と同時に、扉裏面に錠前を押さえつける金具を取り付けることで、ハンマー等の手工具による攻撃で錠前部が扉内部へ叩き込まれてしまうことを抑止する。
【００１０】
【発明の実施の形態】
以下、本発明の実施形態について添付図面を参照しながら説明する。図１ないし図３は、本発明の実施形態にかかる電子機器装置の錠前部防犯構造を説明する図であり、図１は本発明における錠前部防犯構造の側面断面図、図２ａは前記錠前部防犯構造の正面図、図２ｂは前記錠前部防犯構造の背面図、図３は前記錠前部防犯構造を含む電子機器装置の全体外観図である。これに対し、図４は従来の錠前構造を説明する図である。また図５、図６はディスクグラインダを用いた前記錠前部防犯構造への攻撃方法を説明する図であり、図７ないし図１４は前記錠前部防犯構造の様々な構造とその形状を説明する図である。
【００１１】
現金自動取引装置等の現金を取り扱う電子機器装置は、本体を内蔵する筐体１、筐体１に取り付けた開閉扉２、筐体１に取り付けた操作パネル３等から構成されている。筐体１には、例えば紙幣や硬貨の入出金処理のための紙幣／硬貨ユニット４を筐体１の下部に実装する。
【００１２】
扉２は、現金を収納した筐体１の下部を覆うように取り付ける。扉２の左右の何れか一方には蝶番５を取り付け、扉２は前記蝶番５の軸を中心にして開閉することができる。また、前記扉２の蝶番５と反対側には扉２をロックするための錠前６を含むロック機構を配置する。
【００１３】
扉２の内側には紙幣／硬貨ユニット４を配置しているため、扉２を開放すれば、紙幣や硬貨を収容した紙幣／硬貨ユニット４のカセットに容易にアクセスすることができる。このため、扉２には錠前６を取り付け、扉２を閉位置にロックする。
【００１４】
本発明の錠前部防犯構造では図１に示すように、錠前６は扉２に大ナット７により固定する。錠前６の後部（図１の左方）には、鍵１４の回転と共に扉２の内部で回転する鍵金具８を小ナット９により固定する。鍵金具８の上下端にはそれぞれ孔を空け、それぞれの孔に上ロックシャフト１０ａ及び下ロックシャフト１０ｂを回転可能な状態で取り付ける。扉２の上下端に当接する筐体１側にはロックシャフト１０が入り込むためのシャフト受け金具が取り付けられており、扉２を閉位置にロックする場合は、前記シャフト受け金具にそれぞれロックシャフト１０ａ，１０ｂが挿入してロックを掛ける。
【００１５】
従来の錠前構造は図４に示すように鍵１４の差し込み穴の空いた錠前部６と、これを扉２に固定するための大ナット７とから構成されているだけの構造であったが、本発明ではこれに更に錠前部６の周囲に図１に示すような突起部１５を設けることにより防犯性能を向上する。この突起部１５は図２ａに示すような錠前６の周囲を全周に渡って取り囲むリング形状を有し、扉２と接する面は平面になっており、場合によっては前記平面に固定用の雄ネジ１２を上下左右に４本持つものである。また突起部１５の錠前６側、つまり内周部には出っ張り１１を有し、これを錠前６で扉２との間に挟み込み固定する。突起部１５の平面部に雄ネジ１２を有する場合は、雄ネジ１２の位置と当接する扉２側に孔を空け、図２ｂに示すように扉２の裏面からナット１６で突起部１５を上下左右４箇所固定する。これにより突起部１５が外部からの攻撃により故意に剥がされてしまうのを防止する。
【００１６】
この突起部１５を錠前６の周囲に設けることにより、ディスクグラインダ１７を用いた錠前６の頭部（キートップともいう）への攻撃を妨害することができる。つまり、扉２が開けられてしまうまでの時間を延長させることにより、盗難被害を防ぐ、もしくは盗難行為自体を諦めさせる効果がある。ここでディスクグラインダ１７とは、円盤型砥石１８を回転させ金属を削る電動工具である。このディスクグラインダ１７を用いて突起部１５を有する錠前部６を攻撃する場合、前記円盤型砥石１８の形状としてはより小さい径のものの方が突起部１５を避けて錠前部６を攻撃しやすい。一方、円盤型砥石１８の形状としては、最も小さいものが径Φ１００ｍｍ、厚さｔ３．５ｍｍの砥石である。そこで、突起部１５においては、前述の径Φ１００ｍｍ、厚さｔ３．５ｍｍの円盤型砥石１８を使用した場合について以下説明する。
【００１７】
ディスクグラインダ１７を用いての錠前部への攻撃方法は図５のように円盤型砥石１８の面を接触させ攻撃する方法と、図６のように円盤型砥石１８の外周部を接触させ攻撃する方法の２種がある。
【００１８】
まず、図５のように円盤型砥石１８の面で接触させることによる攻撃に対しては、突起部１５の突起部高さＨ２を錠前頭部の高さＨ１より高くすることで、錠前部への攻撃を妨害することができる。ここで突起部高さＨ２を高くすればするほど、ディスクグラインダ１７による攻撃をより妨害することができるが、扉開閉時の鍵１４の操作性が悪くなってしまう。その為、この場合の突起部高さＨ２については１０ｍｍ以上２０ｍｍ以下にするのがよい。これにより係員が扉２を開閉する際の鍵操作だけでなく、その装置を使用するエンドユーザにとっても邪魔にならない形状となる。また突起部１５の扉表面より最も出っ張った部位である突起部稜線の直径Ｄ２を、ディスクグラインダ１７の円盤型砥石１８の大きさであるΦ１００ｍｍより小さくしておくことも必要である。
【００１９】
次に、図６のように円盤型砥石１８の外周部を接触させることによる攻撃に対しては、突起部１５の突起部高さＨ２を錠前頭部の高さＨ１以上にすることはもちろんであるが、ディスクグラインダ１７による攻撃がどの方向からであっても妨害できるよう、錠前６の周囲を全周に渡って取り囲むような突起部１５を設ける。また、ディスクグラインダ１７が錠前６の頭部に到達するのを妨害するため、錠前頭部の直径Ｄ１が２２ｍｍの場合、突起部稜線の直径Ｄ２を５０ｍｍ以下とする必要がある。突起部１５の扉表面に対して垂直な断面形状については例えば、扉表面と外周部との角度θ１を４５°、扉表面と内周部との角度θ２を６０°とすることで、ディスクグラインダ１７による攻撃が錠前６まで届かず、その攻撃を妨害し、その攻撃力を分散することができる。このθ１を小さくしすぎると突起部１５の外周が大きくなり、防犯機能としては不要な部分が増えるだけであり、逆にθ１を大きくしすぎると突起部１５の強度が弱くなってしまうばかりでなく、剥がされやすくなり、外観も損ねてしまう。そのためθ１とθ２については機能、外観等を考慮して決定する必要がある。また錠前６の周囲の突起部１５形状は、扉表面に対して傾斜をつけることで、鍵１４操作時に前記突起部１５が邪魔にならない様、工夫もされている。更にこの突起部先端１３は３ｍｍ〜５ｍｍのＲ取りをすることで、扉開閉時の鍵１４操作における安全性を確保すると共に外観も滑らかにすることができる。
【００２０】
以上のような突起部１５を錠前６の周囲に設けることで、ディスクグラインダ１７の円盤型砥石１８の面接触または外周部接触による錠前部への攻撃を妨害することができる。また、錠前周辺の扉強度アップの役目も果たしている。しかも、前記突起部１５は錠前６と扉２に挟み込み、ナット１６で止めるだけという簡易な構造であるため、その取り付け取り外しが容易であるという特徴をもつ。もちろん従来の錠前６をもつ扉２にも本発明の突起部１５を取り付けることができ、簡単に防犯性を向上することができる。また、もし外部からの攻撃を受けた場合に突起部１５が防犯としての機能を果たすことが不可能な状態になるまで削られてしまったり、変形させられてしまったりした場合、突起部１５のみの交換で扉２の修復が可能であり、修復コストを安く、またその作業を容易に行うことが可能である。これまで突起部１５の形状を錠前６の周囲を全周に渡って取り囲むリング形状として説明してきたが、図７ａのように例えば上下左右４箇所のみとしても、図５のようなディスクグラインダ１７の円盤型砥石１８の面接触による攻撃に対しては妨害効果がある。ただ、図６のような円盤型砥石１８の外周部を接触させることによる攻撃に対しては、図７ａのように突起部１５の隙間から攻撃されてしまう。これを防ぐため、図７ｂのように突起部１５の数を奇数個にすることで、錠前６を挟んで対角線上のどちらか一方の突起部１５が、錠前６への攻撃を妨害する。
【００２１】
更に防犯性能を高める方法として、図８に示すような錠前６の頭部と突起部１５の間に錠前６を覆い鍵１４の出し入れのための鍵穴を有する回転自在なカバー１９を追加する方法がある。前記カバー１９は錠前６の頭部と突起部１５の間に挟み込むだけで、鍵回転方向の固定はしていなく、形状が図９に示すような円盤型で錠前６へ鍵１４を差し込む際の逃げ穴を空けたものである。このカバー１９を設けることで、錠前６が電動ドリルからの攻撃を受けた場合、カバー１９は回転自在な為に電動ドリルが空回りし、錠前６への攻撃を抑止することができる。また、突起部１５がディスクグラインダ１７の円盤型砥石１８の面で攻撃を受けた場合、突起部１５は徐々にディスクグラインダ１７により削られてしまい、最後には突起部１５が無くなり錠前６の頭部も削られてしまうのであるが、前記カバー１９を設けることによりディスクグラインダ１７の円盤型砥石１８が、その回転方向に非固定の前記カバー１９に到達すると前記カバーと共に空回りし、錠前６の頭部への攻撃を抑止するという効果がある。
【００２２】
また突起部１５の固定の際に扉裏面からのナット１６による固定と共に、図１０に示すような扉裏面に錠前６を押さえつけるための錠前押さえつけ金具２０を前記ナット１６で上下左右４箇所共締めすることで、更に防犯性能を向上することができる。この錠前押さえつけ金具２０の形状は図１１ａに示すように円盤型で、中央部に錠前６の逃げ穴を空けると共に大ナット７が収まるような溝を設け、上下左右に固定用の孔を空けたものである。この錠前押さえつけ金具２０を扉裏面に設けることで、ハンマー等で錠前６を攻撃された場合に、錠前６が装置内部へ叩き込まれてしまうのを抑止することができる。上記では錠前押さえつけ金具２０の形状を円盤型としたが、例えば図１１ｂに示すような十字型とし、円盤型の場合と同様に中央部に錠前６の逃げ穴を空けると共に大ナット７が収まるような溝を設け、上下左右に固定用の孔を空けたものでもよい。錠前押さえつけ金具２０をこの十字型形状とすることで、製作時の絞り加工が不要となる。
【００２３】
突起部１５の固定方法として、上記「扉２と錠前６の間に挟み込み＋ナット締め」による方法の他に、「扉２と錠前６の間に挟み込みのみ」、「扉２と錠前６の間に挟み込み＋貼り付け」、「扉２と錠前６の間に挟み込み＋溶接」等が考えられる。「扉２と錠前６の間に挟み込みのみ」の固定方法とすると、まず突起部１５の雄ネジ１２と、またそれに当接する扉２側の孔が不要となる。更に扉裏面からの突起部１５を固定していたナット１６も不要となり、その締付け作業も不要となる。このため部品数、組立作業工数を減らすことができる。しかしその分、突起部１５が剥がれ易くなってしまい防犯性能は若干低下する。これを改善するため、突起部１５の貼り付けを追加した「扉２と錠前６の間に挟み込み＋貼り付け」の固定方法であれば前述の固定方法と同様に部品数、組立作業工数を減らすと同時に、固定力もアップすることができる。更に強固に固定力アップする方法として「扉２と錠前６の間に挟み込み＋溶接」の固定方法がある。この方法は扉２と突起部１５の外周部を全周もしくは部分的に溶接することで固定力をアップする。ただし、溶接工程が必要なため作業工数アップと、また溶接後に突起部１５を取外すこともできなくなってしまう。そのためこの固定方法は、突起部１５の強固な固定が必要で、その交換が不要な箇所に使用すると良い。
【００２４】
突起部１５の材質としては、強度、耐摩耗性、耐食性、外観、コストを考慮してステンレス鋼が良い。またカバー１９の材質についても突起部１５と同じくステンレス鋼が良い。錠前押さえつけ金具２０の材質については、扉２の内部の金具で強度があればよいので、コスト、生産性を考慮し軟鋼とするのが良い。
【００２５】
ディスクグラインダ１７を用いた攻撃に対する錠前部防犯構造として、前述のような扉表面の錠前周囲に突起部１５を設ける構造の他に、図１２に示すような錠前部６が初めから扉表面より窪んだ錠前部防犯構造も考えられる。この構造とした場合、前述の突起部１５の代替として、リング形状金具２１を扉裏面に設けることで、耐ディスクグラインダ１７としての防犯効果がある。このリング形状金具２１は錠前６の周囲を全周に渡って取り囲むような金具であり、図１３に示すような平面部の上下２箇所に孔を空け、左右２箇所にネジ穴を設けたものである。リング形状金具２１の上下２箇所の孔と当接する扉２の裏面に雄ネジ２２を付けておき、図１４に示すようにリング形状金具２１をナット１６で扉２に固定する。またこれと共締めで錠前押さえつけ金具２０も上下２箇所固定し、中央部も錠前６の固定で使用するものと同じ大ナット７で固定する。更に錠前押さえつけ金具２０とリング形状金具２１の左右２箇所をネジ２３で固定する。この構造にすることにより、錠前部６へのディスクグラインダを用いての攻撃を妨害することができる。すなわち円盤型砥石１８の面接触による攻撃では、最初に扉２が削られた後、錠前６の上下で固定していた雄ネジ２２も削られてしまうが、リング形状金具は左右のネジ２３で固定されているため、その攻撃を妨害することができる。また円盤型砥石１８の外周部を接触させることによる攻撃に対しては、最初に扉２が削られても、リング形状金具２１が錠前部６への到達を妨害する。この構造は扉表面に突起物が無くなるため、外観的にも良くなる。また前述の突起部１５に対して、その代替であるリング形状金具２１は形状がシンプルであるため加工が容易になる。ただし、この構造にするためには錠前６を扉表面から窪ませる分のスペースを考慮に入れなければならなく、扉表面に突起部１５を設けた場合は無くても問題なかった錠前押さえつけ金具２０が、リング形状金具の固定の役割を持つため必ず必要となる。
【００２６】
以上のように本実施形態によれば、錠前のシリンダ内部に超鋼製のブロックやボールを入れたり、錠前の前方部にシリンダと分離した超鋼製のカバーを設けたり、鍵穴部を焼き入れし、硬質化等を図ったりすることなく、安価で取り付けが簡易で、更に従来の錠前６にも取り付け可能で、錠前部周辺の強化と防犯性向上した防犯扉錠前部を提供することができる。
【００２７】
【発明の効果】
以上説明したように本発明の実施により、ハンマー等の手工具や、ディスクグラインダ等の電動工具による電子機器装置の扉の錠前部への破壊攻撃に対して、容易に破壊されない錠前部防犯構造を安価で取り付けが簡易な方法で提供することができる。
【図面の簡単な説明】
【図１】本発明の実施形態にかかる電子機器装置の錠前部防犯構造を説明する側面断面図である。
【図２】（ａ）は本発明の実施形態にかかる電子機器装置の錠前部防犯構造を説明する正面図、（ｂ）は背面図である。
【図３】電子機器装置の全体外観図である。
【図４】従来の錠前構造を説明する側面断面図である。
【図５】錠前部防犯構造の寸法とディスクグラインダの円盤面接触による攻撃方法を説明する図である。
【図６】錠前部防犯構造の寸法とディスクグラインダの円盤外周部接触による攻撃方法を説明する図である。
【図７】（ａ）は錠前周囲における上下左右４箇所の突起部形状を説明する正面図、（ｂ）は正面図である。
【図８】錠前を覆い回転自在なカバーを有する錠前部防犯構造を説明する側面断面図である。
【図９】カバーの形状を説明する正面図である。
【図１０】錠前押さえつけ金具を有する錠前部防犯構造を説明する側面断面図である。
【図１１】（ａ）は円盤型錠前押さえつけ金具の形状を説明する正面図、（ｂ）は正面図である。
【図１２】扉表面より錠前部が窪んだ錠前部防犯構造を説明する側面断面図である。
【図１３】リング形状金具の形状を説明する正面図である。
【図１４】扉表面より錠前部が窪んだ錠前部防犯構造を説明する背面図である。
【符号の説明】
１…電子機器装置の筐体、２…開閉扉、３…操作パネル、４…紙幣／硬貨ユニット、５…蝶番、６…錠前、７…大ナット、８…鍵金具、９…小ナット、１０ａ，１０ｂ…ロックシャフト、１１…突起部の出っ張り、１２…雄ネジ、１３…突起部先端、１４…鍵、１５…突起部、１６…ナット、１７…ディスクグラインダ、１８…円盤型砥石、１９…カバー、２０…錠前押さえつけ金具、２１…リング形状金具、２２…雄ネジ、２３…ネジ、Ｈ２…突起部高さ、Ｈ１…錠前頭部の高さ、Ｄ２…突起部稜線の直径、Ｄ１…錠前頭部の直径、θ１…突起部断面の扉表面と外周部との角度、θ２…突起部断面の扉表面と内周部との角度。
【図１】
2004293152.tif 000003
【図２】
2004293152.tif 000004
【図３】
2004293152.tif 000005
【図４】
2004293152.tif 000006
【図５】
2004293152.tif 000007
【図６】
2004293152.tif 000008
【図７】
2004293152.tif 000009
【図８】
2004293152.tif 000010
【図９】
2004293152.tif 000011
【図１０】
2004293152.tif 000012
【図１１】
2004293152.tif 000013
【図１２】
2004293152.tif 000014
【図１３】
2004293152.tif 000015
【図１４】
2004293152.tif 000016